(57)【特許請求の範囲】
【請求項１】
複数の平面をもつ略アーチ状に形成される本体部と、前記本体部の長さ方向両端のそれぞれに設けられ、設置面に対して傾斜する複数の平面によって構成される一対の壁部と、を備える環境制御ハウスであって、
前記本体部は、
最頂部に配置される天頂面部と、
前記天頂面部の幅方向両端縁にそれぞれ連設される一対の上方裾面部と、
前記上方裾面部の連設方向端縁にそれぞれ連設され、設置面に対して傾斜して配置される一対の下方裾面部と、
を備え、
前記壁部のそれぞれは、
前記天頂面部の長さ方向端縁に連設される中央壁面部と、
前記中央壁面部の幅方向両端縁にそれぞれ連設されるとともに、前記上方裾面部の長さ方向端縁に連設される一対の中間壁面部と、
前記中間壁面部の幅方向端縁にそれぞれ連設されるとともに、前記下方裾面部の長さ方向端縁にそれぞれ連設される一対の側方壁面部と、
を備え、
前記中央壁面部は、
前記天頂面部の長さ方向端縁に連設される中央上方壁面部と、
前記中央上方壁面部の連設方向端縁に連設され、前記中央上方壁面部に対して腰折状に配置される中央下方壁面部と、
を備える環境制御ハウス。
【請求項２】
前記天頂面部は、幅方向に隣接配置され、隣接位置で山折部を形成する一対の天板部を備える請求項１に記載の環境制御ハウス。
【請求項３】
前記中央上方壁面部は、
幅方向に隣接配置されて山折状に配置される一対の天頂面側壁面部と、
一対の前記天頂面側壁面部に連接されるとともに、前記中央下方壁面部に連接される三角形状の中央三角壁面部と、を備える請求項２に記載の環境制御ハウス。
【請求項４】
前記中間壁面部のそれぞれは、
前記上方裾面部の長さ方向端縁に連設されるとともに、前記中央上方壁面部の幅方向端縁に連設される三角形状の上方三角壁面部と、
前記上方三角壁面部の残りの端縁に連設されるとともに、前記上方三角壁面部に対して腰折状に配置される三角形状の中間三角壁面部と、
前記中間三角壁面部の端縁に連設されるとともに、前記中央下方壁面部の幅方向端縁に連設されて、前記中間三角壁面部及び前記中央下方壁面部に対して腰折状に配置される三角形状の下方三角壁面部と、
を備える請求項１〜３のいずれかに記載の環境制御ハウス。
【請求項５】
前記側方壁面部は、三角形状に形成される請求項１〜４のいずれかに記載の環境制御ハウス。
【請求項６】
前記上方裾面部、前記下方裾面部、及び、一対の前記壁部を構成する全ての面が、上方を向いて傾斜する請求項１〜５のいずれかに記載の環境制御ハウス。
【発明の詳細な説明】
【技術分野】
【０００１】
本発明は、環境制御ハウスに関する。
【背景技術】
【０００２】
従来より、骨組みをアーチ状に構成して設置される環境制御ハウス（例えば、ビニールハウス）が知られている。このような環境制御ハウスは、地面に対して垂直な面により側面を形成され、側面に対して屋根が形成されることにより設置される。【０００３】
環境制御ハウスは、風雨に晒され続けることから、風等に対するより強い耐久性（耐候性）が求められている。そこで、パイプにより立設された「かまぼこ型」ビニールハウス若しくは屋根部が「アーチ型」になったビニールハウスに対して、妻部をアーチ状に形成するビニールハウスの骨組み構造が提案されている（例えば、特許文献１参照）。提案されたビニールハウスの骨組み構造によれば、妻部に強風が吹き付けたとしても、妻部を一平面で形成する場合に比べて面圧上昇が小さくなる。したがって、塩化ビニールシートの破損が生じるリスクを下げることができる。
【先行技術文献】
【特許文献】
【０００４】
【特許文献１】実用新案登録第３２００４３９号公報
【発明の概要】
【発明が解決しようとする課題】
【０００５】
ところで、環境制御ハウスの構造を上記のようにアーチ構造とすることによって強度を向上することも考えられるが、多面構造とすることによって風の影響を限定的にして、強度を向上することも考えられる。【０００６】
本発明は、多面構造を採用することにより、強度を向上することが可能な環境制御ハウスを提供することを目的とする。
【課題を解決するための手段】
【０００７】
本発明は、複数の平面をもつ略アーチ状に形成される本体部と、前記本体部の長さ方向両端のそれぞれに設けられ、設置面に対して傾斜する複数の平面によって構成される一対の壁部と、を備えるビニールハウスであって、前記本体部は、矩形に形成され、最頂部に配置される天頂面部と、前記天頂面部の幅方向両端縁にそれぞれ連設される一対の矩形の上方裾面部と、前記上方裾面部の連設方向端縁にそれぞれ連設され、設置面に対して傾斜して配置される一対の矩形の下方裾面部と、を備え、前記壁部のそれぞれは、前記天頂面部の長さ方向端縁に連設される中央壁面部と、前記中央壁面部の幅方向両端縁にそれぞれ連設されるとともに、前記上方裾面部の長さ方向端縁に連設される一対の中間壁面部と、前記中間壁面部の幅方向端縁にそれぞれ連設されるとともに、前記下方裾面部の長さ方向端縁にそれぞれ連設される一対の側方壁面部と、に関する。【０００８】
また、前記中央壁面部は、前記天頂面部の長さ方向端縁に連設される矩形の中央上方壁面部と、前記中央上方壁面部の連設方向端縁に連設され、前記中央上方壁面部に対して腰折状に配置される矩形の中央下方壁面部と、を備えてもよい。【０００９】
また、前記天頂面部は、幅方向に隣接配置され、隣接位置で山折部を形成する一対の矩形の天板部を備えてもよい。【００１０】
また、前記中央上方壁面部は、幅方向に隣接配置されて山折状に配置される一対の天頂面側壁面部と、一対の前記天頂面側壁面部に連接されるとともに、前記中央下方壁面部に連接される三角形状の中央三角壁面部と、を備えてもよい。【００１１】
また、前記中間壁面部のそれぞれは、前記上方裾面部の長さ方向端縁に連設されるとともに、前記中央上方壁面部の幅方向端縁に連設される三角形状の上方三角壁面部と、前記上方三角壁面部の残りの端縁に連設されるとともに、前記上方三角壁面部に対して腰折状に配置される三角形状の中間三角壁面部と、前記中間三角壁面部の端縁に連設されるとともに、前記中央下方壁面部の幅方向端縁に連設されて、前記中間三角壁面部及び前記中央下方壁面部に対して腰折状に配置される三角形状の下方三角壁面部と、を備えてもよい。【００１２】
また、前記側方壁面部は、三角形状に形成されてもよい。【００１３】
また、前記上方裾面部、前記下方裾面部、及び、一対の前記壁部を構成する全ての面が、上方を向いて傾斜してもよい。
【発明の効果】
【００１４】
本発明によれば、多面構造を採用することにより、強度を向上することが可能なビニールハウスを提供することができる。
【図面の簡単な説明】
【００１５】
【図１】本発明の第１実施形態に係る環境制御ハウスの平面図を示す。
【図２】第１実施形態の環境制御ハウスの側面図を示す。
【図３】第１実施形態の環境制御ハウスの他の側面図を示す。
【図４】第１実施形態の環境制御ハウスの斜視図を示す。
【図５】本発明の第２実施形態に係る環境制御ハウスの平面図を示す。
【図６】第２実施形態の環境制御ハウスの側面図を示す。
【図７】第２実施形態の環境制御ハウスの他の側面図を示す。
【図８】第２実施形態の環境制御ハウスの斜視図を示す。
【発明を実施するための形態】
【００１６】
[第１実施形態]
以下、本発明に係る環境制御ハウスの第１実施形態について、図１〜図４を参照して説明する。なお、以下の実施形態では、環境制御ハウス１の一種としてビニールハウスを例に説明する。
本実施形態に係る環境制御ハウス１は、アーチパイプや連結部材等の複数の骨組みを用いて組み立てられる。そして、環境制御ハウス１は、骨組みに好ましくは１枚の半透明又は透明若しくは透明でない樹脂シートや複数の板材が取り付けられることにより設置される。これにより、環境制御ハウス１は、複数の面をもつ構造体として、屋外の略水平な設置面Ｌに設置される。
【００１７】
本実施形態では、樹脂シートを用いて形成される環境制御ハウス１について説明する。なお、樹脂シートを用いて環境制御ハウス１の面が構成される関係上、本実施形態において、種々の面を、面一となっているものに限らず、皺等により歪んでいるものも含むものとして説明する。また、以下の実施形態において、「長さ方向」とは、環境制御ハウス１の棟（桁）に沿う方向をいい、「幅方向」とは、環境制御ハウス１の梁に沿う方向をいう。
【００１８】
このような環境制御ハウス１は、図１〜図４に示すように、本体部１０と、一対の壁部２０，２０と、を備える。図１は、本実施形態の環境制御ハウス１の側面図を示す。図２は、本実施形態の環境制御ハウス１の側面図を示す。図３は、本実施形態の環境制御ハウス１の他の側面図を示す。図４は、本実施形態の環境制御ハウス１の斜視図を示す。
【００１９】
本体部１０は、複数の平面をもつ略アーチ状に形成される。本体部１０は、環境制御ハウス１のいわゆる胴の部分を構成する。このような本体部１０は、天頂面部１０１と、一対の上方裾面部１０２，１０２と、一対の下方裾面部１０３，１０３と、を備える。
【００２０】
天頂面部１０１は、シート状に形成されるとともに、矩形に画定された領域に配置されることにより矩形に形成され、最頂部（棟部分）に配置される。天頂面部１０１は、設置面Ｌ（水平面）に対して略平行となるように配置される。これにより、天頂面部１０１は、平面が上方を向くように配置される。
【００２１】
一対の上方裾面部１０２，１０２は、シート状に形成されるとともに、天頂面部１０１の幅方向両端縁にそれぞれ連設される。一対の上方裾面部１０２，１０２のそれぞれは、矩形に画定された領域に配置されることにより、矩形に形成されるとともに、天頂面部１０１の長さ方向と略同じ長さで形成される。そして、一対の上方裾面部１０２，１０２のそれぞれは、幅方向一端側の端縁（辺）が、天頂面部１０１の幅方向一端側の端縁（辺）に連設される。また、一対の上方裾面部１０２，１０２のそれぞれは、天頂面部１０１と腰折状に連設される。
【００２２】
一対の下方裾面部１０３，１０３は、シート状に形成されるとともに、一対の上方裾面部１０２，１０２の連設方向端縁にそれぞれ連設される。そして、一対の下方裾面部１０３，１０３のそれぞれは、設置面Ｌに対して傾斜して配置される。具体的には、一対の下方裾面部１０３，１０３のそれぞれは、設置面Ｌと設置面Ｌに対向する面との間が鋭角になるように配置される。このような一対の下方裾面部１０３，１０３のそれぞれは、矩形に形成されるとともに、天頂面部１０１及び上方裾面部１０２と略同じ長さで形成される。そして、一対の下方裾面部１０３，１０３のそれぞれは、幅方向一端側の端縁（辺）が、上方裾面部１０２の幅方向他端側の端縁（辺）に連設される。また、一対の下方裾面部１０３，１０３のそれぞれは、幅方向他端側の端縁（辺）が、設置面Ｌに接触する。また、一対の下方裾面部１０３，１０３のそれぞれは、上方裾面部１０２と腰折状に連設される。
【００２３】
以上のような本体部１０によれば、天頂面部１０１、一対の上方裾面部１０２，１０２、及び、一対の下方裾面部１０３，１０３のそれぞれが、連設される相手に対して腰折状に配置されることにより、全体として断面略アーチ状に形成される。したがって、設置面Ｌに対して垂直な面がないため、本体部１０の幅方向のいずれかから風を受けたとしても、受けた側の上方裾面部１０２及び下方裾面部１０３は、風から下方に向かう分力を受ける。したがって、本体部１０の幅方向から受ける風に対して、環境制御ハウス１の強度を向上することができる。さらには、天頂面部１０１、一対の上方裾面部１０２，１０２、及び、一対の下方裾面部１０３，１０３のそれぞれは、連設される相手に対して鈍角をなすように配置される。したがって、幅方向の風を面方向に受け流すことができ、風から大きな力を受けることを防止することができる。
【００２４】
一対の壁部２０，２０は、設置面Ｌに対して傾斜する複数の平面によって構成される。このような一対の壁部２０，２０のそれぞれは、中央壁面部２１０と、一対の中間壁面部２２０，２２０と、一対の側方壁面部２３０，２３０と、を備える。
【００２５】
中央壁面部２１０は、天頂面部１０１の長さ方向端縁に連設される。このような中央壁面部２１０は、中央上方壁面部２１１と、中央下方壁面部２１２と、を備える。
【００２６】
中央上方壁面部２１１は、シート状に形成されるとともに、矩形に画定された領域に配置されることにより矩形に形成され、天頂面部１０１の長さ方向端縁に連設される。中央上方壁面部２１１は、天頂面部１０１の幅方向の幅と略同じ幅で形成される。そして、中央上方壁面部２１１は、長さ方向一端側の端縁（辺）が、天頂面部１０１の長さ方向一端側の端縁（辺）に連設される。また、中央上方壁面部２１１は、天頂面部１０１と腰折状に連設される。
【００２７】
中央下方壁面部２１２は、シート状に形成されるとともに、矩形に画定された領域に配置されることにより矩形に形成され、中央上方壁面部２１１の連設方向端縁に連設される。また、中央下方壁面部２１２は、中央上方壁面部２１１に対して腰折状に配置される。そして、中央下方壁面部２１２は、天頂面部１０１及び中央上方壁面部２１１と略同じ幅で形成される。このような中央下方壁面部２１２は、長さ方向一端側の端縁（辺）が、中央上方壁面部２１１の長さ方向他端側の端縁（辺）に重なるように連設される。また、中央下方壁面部２１２は、長さ方向他端側の端縁（辺）が、設置面Ｌに対して傾斜して接触する。
【００２８】
一対の中間壁面部２２０，２２０は、中央壁面部２１０の幅方向両端縁にそれぞれ連設されるとともに、上方裾面部１０２の長さ方向端縁に連設される。このような一対の中間壁面部２２０，２２０のそれぞれは、上方三角壁面部２２１と、中間三角壁面部２２２と、下方三角壁面部２２３と、を備える。
【００２９】
上方三角壁面部２２１は、シート状に形成されるとともに、三角形状に画定された領域に配置されることにより三角形状に形成される。上方三角壁面部２２１は、上方裾面部１０２の長さ方向端縁に連設されるとともに、中央上方壁面部２１１の幅方向端縁に連設される。具体的には、上方三角壁面部２２１は、一端縁（辺）が上方裾面部１０２の長さ方向端縁（辺）に重なるように連設され、他の一端縁（辺）が、中央上方壁面部２１１の幅方向一端側の端縁（辺）に重なるように連設される。そして、上方三角壁面部２２１は、上方裾面部１０２及び中央上方壁面部２１１と腰折状に連設される。
【００３０】
中間三角壁面部２２２は、シート状に形成されるとともに、三角形状に画定された領域に配置されることにより三角形状に形成される。中間三角壁面部２２２は、上方三角壁面部２２１の残りの一端縁（辺）に連設されて、上方三角壁面部２２１に対して腰折状に配置される。
【００３１】
下方三角壁面部２２３は、シート状に形成されるとともに、三角形状に画定された領域に配置されることにより三角形状に形成される。下方三角壁面部２２３は、中間三角壁面部２２２の他の一端縁（辺）に連設されて、中間三角壁面部２２２及び中央下方壁面部２１２に対して腰折状に配置される。このような下方三角壁面部２２３は，残りの一端縁（辺）が設置面Ｌに接触して設置されるとともに、設置面Ｌに対して鋭角となるように設置される。
【００３２】
一対の側方壁面部２３０，２３０のそれぞれは、シート状に形成されるとともに、三角形状に画定された領域に配置されることにより三角形状に形成される。一対の側方壁面部２３０，２３０のそれぞれは、一端縁（辺）が、中間壁面部２２０の幅方向端縁（辺）にそれぞれ連設される。具体的には、一対の側方壁面部２３０，２３０のそれぞれは、一端縁（辺）が、中間三角壁面部２２２の残りの一端縁（辺）に連設される。また、一対の側方壁面部２３０，２３０のそれぞれは、他の一端縁（辺）が、下方裾面部１０３の長さ方向端縁に連設される。そして、一対の側方壁面部２３０，２３０のそれぞれは、残りの一端縁（辺）が、設置面Ｌに接触して設置されるとともに、設置面Ｌに対して鋭角となるように設置される。
【００３３】
以上のような一対の壁部２０，２０によれば、設置面Ｌに対して傾斜する複数の面により、本体部１０の長さ方向両端を閉じるように壁部２０を構成することができる。一対の壁部２０，２０のそれぞれは、設置面Ｌに垂直な面をもたない。これにより、本体部１０の長さ方向のいずれかから風を受けたとしても、受けた側の中央壁面部２１０、中間壁面部２２０、及び、側方壁面部２３０は、風から下方に向かう分力を受ける。したがって、本体部１０の長さ方向から受ける風に対して、環境制御ハウス１の強度を向上することができる。
【００３４】
さらには、中央上方壁面部２１１、中央下方壁面部２１２、上方三角壁面部２２１、中間三角壁面部２２２、下方三角壁面部２２３、及び、側方壁面部２３０，２３０のそれぞれは、連設される相手に対して鈍角をなすように配置される。したがって、幅方向の風を面方向に受け流すことができ、風から大きな力を受けることを防止することができる。特に、上方三角壁面部２２１、中間三角壁面部２２２、及び、下方三角壁面部２２３が三角形状で形成されているので、矩形に比べ変形しづらく、環境制御ハウス１の強度を向上することができる。
【００３５】
また、壁部２０のうち、中央壁面部２１０を除く部分のそれぞれは、上方三角壁面部２２１、中間三角壁面部２２２、下方三角壁面部２２３、及び、側方壁面部２３０の４つの三角形状で埋めることにより構成される。これにより、中央壁面部２１０を除く部分のそれぞれを矩形形状で埋める場合に比べ、環境制御ハウス１の強度を向上することができる。
【００３６】
また、以上のような本体部１０及び一対の壁部２０，２０によれば、上方裾面部１０２、下方裾面部１０３、及び、一対の壁部２０，２０を構成する全ての面が、上方を向いて傾斜するので、風に対して下方を向く分力を受ける。したがって、風に対する抵抗力を向上することができる。
【００３７】
また、環境制御ハウス１を長さ方向からみた形状（壁部２０の側面方向の形状、図３）は、任意の角を通る対称軸により略正１０角形を切断した投影面形状にすることができる。さらには、壁部２０を上方からみた形状（図１）は、同様に、任意の角を通る対称軸により略正１０角形を切断した投影面形状にすることができる。そして、環境制御ハウス１を幅方向からみた形状（図２）は、本体部１０の長さを短くし、中央壁面部２１０の幅方向と同じ長さにしたとすると、任意の角を通る対称軸により略正１０角形を切断した投影面形状にすることができる。この様に、環境制御ハウス１の壁部２０は、長さ方向からみた形状（図３）、上方からみた形状（図１）及び幅方向からみた形状（図２）のいずれの形状にも、任意の角を通る対称軸により略正１０角形を切断した投影面形状が現れる。
【００３８】
この様な壁部２０を有する環境制御ハウス１は、全体の強度を向上可能なものである。また、この様な壁部２０を有する環境制御ハウス１は、美観の点でも優れている。
【００３９】
また、上記のように構成した結果、図１〜図３に示すように、環境制御ハウス１は、長さ方向からみて、中心線Ａ−Ａを対称軸とする線対称となるように形成される。つまり、本体部１０及び一対の壁部２０，２０は、長さ方向からみて、中心線Ａ−Ａを対称軸とする線対称となるように形成される。また、環境制御ハウス１は、幅方向からみて、中心線Ｂ−Ｂを対称軸とする線対称となるように形成される。線対称に形成された環境制御ハウス１は、いずれの方向からの風に対しても、全体の強度を向上可能なものである。
【００４０】
以上のような環境制御ハウス１によれば、以下の効果を奏する。
【００４１】
（１）環境制御ハウス１を、複数の平面をもつ略アーチ状に形成される本体部１０と、本体部１０の長さ方向両端のそれぞれに設けられ、設置面Ｌに対して傾斜する複数の平面によって構成される一対の壁部２０，２０と、により構成した。そして、本体部１０を、矩形に形成され、最頂部に配置される天頂面部１０１と、天頂面部１０１の幅方向両端縁にそれぞれ連設される一対の矩形の上方裾面部１０２，１０２と、上方裾面部１０２，１０２の連設方向端縁にそれぞれ連設され、設置面Ｌに対して傾斜して配置される一対の矩形の下方裾面部１０３，１０３と、により構成した。また、壁部２０のそれぞれを、天頂面部１０１の長さ方向端縁に連設される中央壁面部２１０と、中央壁面部２１０の幅方向両端縁にそれぞれ連設されるとともに、上方裾面部１０２の長さ方向端縁に連設される一対の中間壁面部２２０，２２０と、中間壁面部２２０，２２０の幅方向端縁にそれぞれ連設されるとともに、下方裾面部１０３の長さ方向端縁にそれぞれ連設される一対の側方壁面部２３０，２３０と、により構成した。これにより、設置面Ｌに対して垂直な面が無いことから、いずれの方向の風に対しても下方に向く分力を受ける。これにより、環境制御ハウス１の構造を安定化することができる。また、上方裾面部１０２、下方裾面部１０３、及び、壁部２０のそれぞれの面が設置面Ｌに対して傾斜するので、全ての面が鈍角に連設され、風に対する抵抗を小さくすることができる。
【００４２】
（２）中央壁面部２１０を、天頂面部１０１の長さ方向端縁に連設される矩形の中央上方壁面部２１１と、中央上方壁面部２１１の連設方向端縁に連設され、中央上方壁面部２１１に対して腰折状に配置される矩形の中央下方壁面部２１２と、により構成した。中央壁面部２１０を２つの面により構成するので、風に対する強度をより増すことができる。
【００４３】
（３）中間壁面部２２０，２２０のそれぞれを、上方裾面部１０２の長さ方向端縁に連設されるとともに、中央上方壁面部２１１の幅方向端縁に連設される三角形状の上方三角壁面部２２１と、上方三角壁面部２２１の残りの端縁に連設されるとともに、上方三角壁面部２２１に対して腰折状に配置される三角形状の中間三角壁面部２２２と、中間三角壁面部２２２の端縁に連設されるとともに、中央下方壁面部２１２の幅方向端縁に連設されて、中間三角壁面部２２２及び中央下方壁面部２１２に対して腰折状に配置される三角形状の下方三角壁面部２２３と、により構成した。これにより、複数の三角形状の壁面を連結するので、壁面の強度をより向上することができる。
【００４４】
（４）側方壁面部２３０，２３０を三角形状に形成した。これにより、壁部２０の強度をより向上することができる。
【００４５】
（５）上方裾面部１０２、下方裾面部１０３、及び、一対の壁部２０，２０を構成する全ての面を、上方を向いて傾斜させた。これにより、上方裾面部１０２、下方裾面部１０３、及び、一対の壁部２０，２０を構成する全ての面が、風に対して下方に向く分力を受けるので、風に対する抵抗力を向上することができる。
【００４６】
[第２実施形態]
次に、本発明に係る環境制御ハウスの第２実施形態について図５〜図８を参照しながら説明する。第２実施形態以降の説明にあたって、同一構成要件については同一符号を付し、その説明を省略もしくは簡略化する。
第２実施形態に係る環境制御ハウス１は、図５〜図８に示すように、天頂面部１０１及び中央上方壁面部２１１の形状において、第１実施形態と異なる。
【００４７】
第２実施形態の天頂面部１０１は、一対の天板部１１１，１１１を備える。
一対の天板部１１１，１１１のそれぞれは、矩形に形成される。そして、一対の天板部１１１，１１１のそれぞれは、幅方向に隣接配置される。より具体的には、一対の天板部１１１，１１１は、長さ方向の端縁（辺）の位置を合わせた上で、隣接配置される。これにより、一対の天板部１１１，１１１は、隣接位置で山折部１１２を形成する。本実施形態において、一対の天板部１１１，１１１は、中心線Ａ−Ａの位置に山折部１１２を形成する。
【００４８】
第２実施形態の中央上方壁面部２１１は、一対の天頂面側壁面部２１３，２１３と、中央三角壁面部２１４と、を備える。
一対の天頂面側壁面部２１３，２１３のそれぞれは、台形状に形成され、幅方向に隣接配置されることにより山折状に配置される。本実施形態において、一対の天頂面側壁面部２１３，２１３のそれぞれは、中心線Ａ−Ａに沿って山折状に配置される。また、一対の天頂面側壁面部２１３，２１３のそれぞれは、幅方向に存在する辺のうち、中心線Ａ−Ａに沿う側の辺がより短く形成され、上方三角壁面部２２１に隣接する側の辺がより長く形成される。また、一対の天頂面側壁面部２１３，２１３のそれぞれは、上方三角壁面部２２１に隣接する辺が、上方三角壁面部２２１の辺の長さと同じ長さにより形成される。
【００４９】
中央三角壁面部２１４は、一対の天頂面側壁面部２１３，２１３に連設されるとともに、中央下方壁面部２１２に連接される。この中央三角壁面部２１４の２辺のそれぞれは、一対の天頂面側壁面部２１３，２１３の長さ方向端縁の辺と同じ長さにより形成される。また、中央三角壁面部２１４の残りの一辺は、天頂面部１０１の幅方向の長さと同じ長さに形成される。即ち、中央三角壁面部２１４の残りの一辺は、中央下方壁面部２１２の長さ方向端縁の辺と同じ長さに形成される。
【００５０】
以上のような第２実施形態の環境制御ハウス１によれば、以下の効果を奏する。
【００５１】
（６）天頂面部１０１を、幅方向に隣接配置され、隣接位置で山折部１１２を形成する一対の矩形の天板部１１１，１１１により構成した。これにより、天頂面部１０１を設置面Ｌに対して傾斜させることができるので、天頂面部１０１に雪や雨水等が貯まることを防止できる。
【００５２】
（７）中央上方壁面部２１１を、幅方向に隣接配置されて山折状に配置される一対の天頂面側壁面部２１３，２１３と、一対の天頂面側壁面部２１３，２１３に連接されるとともに、中央下方壁面部２１２に連接される三角形状の中央三角壁面部２１４と、により構成した。これにより、天頂面部１０１に山折部１１２を形成した場合であっても、中央上方壁面部２１１の強度を向上することができる。
【００５３】
以上、本発明の環境制御ハウスの好ましい一実施形態につき説明したが、本発明は、上述の実施形態に制限されるものではなく、適宜変更が可能である。
【００５４】
例えば、環境制御ハウス１に対して、入り口（図示せず）を設置してもよい。入り口（図示せず）は、一対の壁部２０，２０の一方に設けられてもよい。
【００５５】
また、上記実施形態において、天頂面部１０１が設置面Ｌ（水平面）に対して略平行に配置される形態を説明した。これに対し、天頂面部１０１を設置面Ｌに対して傾けて配置するようにしてもよい。これにより、天頂面部１０１に降った雨は、傾斜に沿って側方に落ちるので、雨漏り等を防止することができる。
【００５６】
また、上記実施形態において、樹脂シートに代えて、太陽光セル（図示せず）を配置してもよい。上方裾面部１０２、下方裾面部１０３、及び、一対の壁部２０，２０を構成する全ての面が、上方を向いて傾斜するので、太陽光セル（図示せず）の集光効率を高めることができる。
【００５７】
また、上記実施形態では、天頂面部１０１、上方裾面部１０２、下方裾面部１０３、中央壁面部２１０、中間壁面部２２０、及び、側方壁面部２３０のそれぞれを一つの構成部材として説明したが、これに限定されない。即ち、上記構成のそれぞれがシート状部材等により一体的に形成されてもよい。また、天頂面部１１１、天頂面側壁面部２１３、及び、中央三角壁面部２１４についても同様に、シート状部材等により一体的に形成されてもよい。
【００５８】
また、上記実施形態では、環境制御ハウス１の一例としてビニールハウスについて説明したが、環境制御ハウス１はこれに限定されない。例えば、環境制御ハウスの他の例として、植物栽培ハウスや冷蔵保管庫が考えられる。
【符号の説明】
【００５９】
１  環境制御ハウス
１０  本体部
２０  壁部
１０１  天頂面部
１０２  上方裾面部
１０３  下方裾面部
１１１  天板部
１１２  山折部
２１０  中央壁面部
２１１  中央上方壁面部
２１２  中央下方壁面部
２１３  天頂面側壁面部
２１４  中央三角壁面部
２２０  中間壁面部
２２１  上方三角壁面部
２２２  中間三角壁面部
２２３  下方三角壁面部
２３０  側方壁面部
Ｌ  設置面
【図１】
0006667857.tif 000002
【図２】
0006667857.tif 000003
【図３】
0006667857.tif 000004
【図４】
0006667857.tif 000005
【図５】
0006667857.tif 000006
【図６】
0006667857.tif 000007
【図７】
0006667857.tif 000008
【図８】
0006667857.tif 000009